(57)【要約】【課題】油の捕集効率を高めたレンジフードフィルタを提供することを目的とする。【解決手段】中心に円形の開口３を有したリング形状をなした複数枚の円盤状のフィルタ板２を同心に積層したレンジフード用のフィルタで、開口３から流入した空気がフィルタ板２間を通過し外周側へ流れる構成であり、開口３の直径は、隣り合うフィルタ板２間で異径となることを特徴とするという構成にしたことにより、隣り合うフィルタ板２において、流入側の端部間距離６を、フィルタ板設置間隔７よりも長くすることができ、フィルタ板端部間では、油、埃汚れ付着による目詰まり抑制に充分な距離を保ちながらも、フィルタ板の設置間隔は従来より狭くすることができるため、洗浄頻度を上げることなく油の捕集効率を高めたレンジフードフィルタ及びそれを搭載したレンジフードを得られる。【選択図】図１
2019027677.tif 000002
【特許請求の範囲】
【請求項１】
複数枚の円盤状のフィルタ板を同心に積層したレンジフード用のフィルタであって、
前記フィルタ板は、中心に円形の開口を有したリング形状をなし、
前記開口から流入した空気が前記フィルタ板間を通過し外周側へ流れる構成であり、
前記開口の直径は、隣り合う前記フィルタ板間で異径となることを特徴とするレンジフード用のフィルタ。
【請求項２】
中心部を回転軸に軸支した円形の主板と、
前記回転軸を駆動させる駆動手段を備えた請求項１記載のレンジフード用のフィルタ。
【請求項３】
洗浄用水を貯めるケーシングを備え、
前記回転軸を水平にして、前記フィルタの下部が前記洗浄用水に浸かるように配置した請求項１または２記載のレンジフード用のフィルタ。
【請求項４】
積層した前記フィルタ板の積層方向の一方を吸込み口とし、隣り合う前記フィルタ板間で吸込み口側の前記開口の直径が大きくなるよう配置する請求項１〜３いずれかひとつに記載のレンジフード用のフィルタ。
【請求項５】
複数枚の円盤状のフィルタ板を同心に積層したレンジフード用のフィルタであって、
前記フィルタ板は、中心に正多角形の開口を有したリング形状をなし、
前記開口から流入した空気が前記フィルタ板間を通過し外周側へ流れる構成であり、
前記開口を形成する正多角形の辺は、隣り合う前記フィルタ板間の近接する辺で平行でないことを特徴とするレンジフード用のフィルタ。
【請求項６】
複数枚の円盤状のフィルタ板を同心に積層したレンジフード用のフィルタであって、
前記フィルタ板は、中心に正多角形の開口を有したリング形状をなし、
前記開口から流入した空気が前記フィルタ板間を通過し外周側へ流れる構成であり、
前記開口を形成する正多角形は、隣り合う前記フィルタ板間において異径の外接円を有することを特徴とするレンジフード用のフィルタ。
【請求項７】
請求項１〜６いずれかひとつに記載のレンジフード用のフィルタを搭載したレンジフード。
【請求項８】
送風装置としてシロッコファンを用い、
前記シロッコファンの回転軸と、前記フィルタ板の中心を同心にして、かつ、前記シロッコファンに備えられたブレードの内周側に前記フィルタを配置した請求項７記載のレンジフード。
【発明の詳細な説明】
【技術分野】
【０００１】
本発明は、レンジフードに取り付けて油捕集を行うフィルタの捕集率向上と目詰まり抑制に関するものである。
【背景技術】
【０００２】
従来、この種のレンジフードは、図６に示すようなものが知られている。このレンジフードは、調理器具（図示せず）の上方に、調理器具から発生する油煙や周囲に浮遊する埃等を捕集する吸込口１０１を設けたフード１０２を壁面１０３に設置している。そして、フード１０２には、天面には屋外とダクト１０４を介して連通する排出口１０５を設け、内部には回転軸１０６を略水平にして配置した電動機１０７と、回転軸１０６に取り付けた羽根車１０８と、羽根車１０８を包括した洗浄ケーシング１０９を配設している。さらに、この羽根車１０８を介し吸込口１０１と排出口１０５を結ぶ通風路１１０を形成している。また、フード１０２の吸込口１０１近傍には平板状の整流板１１１が配設されている。
【０００３】
洗浄ケーシング１０９の下方には、洗浄液１１２を貯水する貯水装置１１３と給水ポンプ１１４を設け、洗浄ケーシング１０９には、給水ポンプ１１４から接続された散水ノズル１１５を設けている。洗浄ケーシング１０９の下端部には孔１１６を設けて、孔１１６は洗浄ケーシング１０９内に洗浄液１１２を貯排する開閉弁１１７を設け、開閉弁１１７の下方に排水トレイ１１８を構成している。
【０００４】
図７に示すように、遠心ファンの羽根車１０８は、主板１１９に立設した複数のブレード１２０を備え、羽根車１０８内部には、回転軸１０６方向に延伸したリング状の油捕集機構部１２１を、それぞれ所定間隔を空けて複数枚取り付けている。
【０００５】
以下、そのレンジフードについて図８を参照しながら説明する。
【０００６】
洗浄時には、羽根車１０８の回転軸１０６より下方の部分が、洗浄ケーシング１０９内で貯水装置１１３（図示せず）から供給された洗浄液１１２に浸漬される。羽根車１０８および油捕集機構部１２１には、レンジフードの使用に伴い汚れが付着しているため、羽根車１０８を回転軸１０６で回転させることで、汚れが付着した部分を洗浄液１１２に浸漬させて洗浄することができる（例えば、特許文献１を参照）。
【先行技術文献】
【特許文献】
【０００７】
【特許文献１】特開２０１４−０６２７１０号公報
【発明の概要】
【発明が解決しようとする課題】
【０００８】
フィルタには、調理排気中に含まれる油や、空気中の埃が付着する。特に端部は、平面部分と比較して埃が引っ掛かりやすいために付着しやすい。そして、付着した埃に対してさらに油が吸着するために、目詰まりが発生しやすいという課題がある。一方で、目詰まりを抑制するために、隣り合うフィルタの間隔を広く確保すると捕集効率が低下するという課題がある。
【０００９】
そこで本発明は、上記従来の課題を解決するものであり、目詰まりを抑制し、かつ、油の捕集効率の高いレンジフードフィルタ、およびそれを搭載したレンジフードを提供する
ことを目的としている。
【課題を解決するための手段】
【００１０】
そして、この目的を達成するために、本発明は、複数枚の円盤状のフィルタ板を同心に積層したレンジフード用のフィルタであって、前記フィルタ板は、中心に円形の開口を有したリング形状をなし、前記開口から流入した空気が前記フィルタ板間を通過し外周側へ流れる構成であり、前記開口の直径は、隣り合う前記フィルタ板間で異径となることを特徴とする構成とすることを特徴としたものであり、これにより所期の目的を達成するものである。
【発明の効果】
【００１１】
本発明は、複数枚の円盤状のフィルタ板を同心に積層したレンジフード用のフィルタであって、前記フィルタ板は、中心に円形の開口を有したリング形状をなし、前記開口から流入した空気が前記フィルタ板間を通過し外周側へ流れる構成であり、前記開口の直径は、隣り合う前記フィルタ板間で異径となることを特徴とする構成としたものである。これにより、隣り合うフィルタ板において、流入側の端部、すなわち、前記開口の縁部の間の距離を長く確保できることになるため、フィルタ板端部において、油、埃汚れ付着による目詰まりが起こりにくく、かつ、油の捕集効率を高めることができるものである。
【図面の簡単な説明】
【００１２】
【図１】本発明の実施の形態１のレンジフードフィルタを示す正面断面構成図
【図２】同レンジフードフィルタの側面断面構成図
【図３】同レンジフードフィルタを用いたレンジフードを示す側面断面構成図
【図４】同レンジフードのファンの種類図
【図５】同レンジフードの別の構成を示す側面断面構成図
【図６】従来のレンジフードを示す側面断面構成図
【図７】同レンジフードの羽根車と油捕集機構部の構成を示す図
【図８】同レンジフードを示す正面断面構成図
【発明を実施するための形態】
【００１３】
本発明の請求項１記載のレンジフード用フィルタは、複数枚の円盤状のフィルタ板を同心に積層したレンジフード用のフィルタであって、前記フィルタ板は、中心に円形の開口を有したリング形状をなし、前記開口から流入した空気が前記フィルタ板間を通過し外周側へ流れる構成であり、前記開口の直径は、隣り合う前記フィルタ板間で異径となることを特徴とした構成を有する。
【００１４】
これにより、隣り合うフィルタ板において、流入側の端部、すなわち、前記開口の縁部の間の距離を長く確保できることになるため、フィルタ板端部において、油、埃汚れ付着による目詰まりが起こりにくく、かつ、油の捕集効率を高めることができるものである。
【００１５】
また、中心部を回転軸に軸支した円形の主板と、前記回転軸を駆動させる駆動手段を備えてもよい。
【００１６】
これにより、レンジフードの運転中に前記フィルタを回転させることができる。回転により、フィルタ板表面と流入した空気との接触面に乱れが発生し、空気中に含まれる油の粒子が前記フィルタ板に衝突しやすくなるため、油捕集効率をより高めることができるという効果を奏する。
【００１７】
また、洗浄用水を貯めるケーシングを備え、前記回転軸を水平にして、前記フィルタの下部が前記洗浄用水に浸かるように配置してもよい。
【００１８】
これにより、油、埃の付着したフィルタをレンジフード本体から取り外すことなく洗浄することができるため、使用者のメンテナンス面での負担を軽減することができるという効果を奏する。
【００１９】
また、積層した前記フィルタ板の積層方向の一方を吸込み口とし、隣り合う前記フィルタ板間で吸込み口側の前記開口の直径が大きくなるよう配置してもよい。
【００２０】
これにより、前記吸込み口側から積層方向奥側に向かうにつれてフィルタ板が階段状になり、流入した空気が、この階段状になった部分に衝突するため、油捕集効率をより高めることができるという効果を奏する。
【００２１】
以下、本発明の実施の形態について図面を参照しながら説明する。
【００２２】
（実施の形態１）
図１および図２に示すように、本実施の形態のレンジフードフィルタ１は、複数枚の円盤状のフィルタ板２を同心に積層した構成のフィルタであって、前記フィルタ板２は、中心に円形の開口３を有したリング形状をなし、前記開口３の直径は、隣り合う前記フィルタ板２間で異径となるよう配置されている。
【００２３】
また、図２に示すように、レンジフードフィルタ１は、中心部を回転軸８に軸支した円形の主板９を備えている。主板９を軸支した回転軸８は、駆動手段１０に接続され、レンジフードフィルタ１は、駆動手段１０によって回転する。
【００２４】
また、図２に示すように、レンジフードフィルタ１は、洗浄用水を貯める洗浄ケーシング１１を備えている。回転軸８は、略水平に配置され、レンジフードフィルタ１を構成する各フィルタ板２の下部が洗浄用水に浸かるようになっている。なお、回転軸８は、厳密に水平に配置しなくてもよく、全部のフィルタ板２の下部が十分に洗浄用水に浸かるようになればよい。
【００２５】
このような構成のレンジフードフィルタ１は、図３のように、レンジフード１２の内部に設けられる。
【００２６】
図３に示すように、レンジフード１２は、本体１３を壁面１４に設置し、排出口１５にダクト１６を接続して屋外と連通している。本体１３は、調理器具（図示せず）の上方で調理器具から発生する油煙や周囲に浮遊する埃等を捕集できるようにフード部１７を備えた箱体であって、フード部１７の下面１８に吸込口１９を備え、吸込口１９から流入した空気は前記本体１３内部の前記レンジフードフィルタ１を通過して前記排出口１５から屋外に排出される。また、前記レンジフードフィルタ１と前記排出口１５との間には送風装置２０を備えている。
【００２７】
このような構成において、レンジフードフィルタ１における油捕集について説明する。レンジフード１２の送風装置２０を運転すると、レンジフードフィルタ１において、油や埃を含んだ調理排気は、開口３から流入し、フィルタ板２の端部４側からフィルタ板２間を通過し外周側へ流れる構成となっている。汚れた空気がフィルタ板２の間を通過するとき、フィルタ板２の端部４やフィルタ板２表面に油、埃が付着する。長期間に渡り使用すると、付着した油、埃がフィルタ板２間を埋めるようになり、レンジフードフィルタ１は目詰まりを引き起こし、風量低下の要因となる。そのため、レンジフードフィルタ１は定期的に洗浄を行う必要がある。フィルタ板２の中でも前記端部４は、平面部５と比較して埃が引っ掛かりやすく付着しやすい上に、付着した埃に対してさらに油が吸着するために
、目詰まりの発生しやすい部分である。
【００２８】
しかし、本実施の形態のレンジフードフィルタ１によれば、隣り合うフィルタ板２において、流入側の端部４間の端部間距離６を大きく確保することができる。具体的には、フィルタ板２のフィルタ板設置間隔７よりも長くすることができる。そのため、油、埃汚れ付着による目詰まりを抑制することができる。また、フィルタ板設置間隔７を狭くしても目詰まりを抑制することができるため、油の捕集効率を高め、かつ、洗浄頻度を抑えることができる。
【００２９】
また、レンジフードフィルタ１を構成する複数のフィルタ板２において、開口３の直径は、すべて異なっていても良いし、同じ直径の開口３を持つフィルタ板２が複数存在しても、それらが隣り合って配置されなければ良い。しかし、より好ましくは、積層した前記フィルタ板２の開口３をすべて異径とし、積層方向の一方を吸込み口とし、隣り合う前記フィルタ板２間で吸込み口側の前記開口３の直径が大きくなるよう配置するとよい。このような構成によれば、前記吸込み口側から積層方向奥側に向かうにつれてフィルタ板２が階段状になり、流入した空気が、この階段状になった部分に衝突することで、より油捕集率を高めることができる。
【００３０】
本実施の形態においては、吸込口側のフィルタ板２の開口３の直径を最も大きくし、主板９側に向けて開口３が小さくなるようにしたが、前述のように、隣接したフィルタ板２の開口３の直径が異なっていれば良い。
【００３１】
駆動手段１０は、その駆動により、油捕集時にレンジフードフィルタ１を回転させるものである。レンジフードフィルタ１を回転させることにより、フィルタ板２表面と流入した空気との接触面に乱れを発生させ、空気中に含まれる油の粒子が前記フィルタ板２に衝突しやすくなるため、油捕集効率向上に効果的である。
【００３２】
また、前述のように前記レンジフードフィルタ１は定期的に洗浄を行う必要がある。そのため、一般的に使用者はレンジフードフィルタ１を装置から取り外し、スポンジやタワシなどでこすり洗いをしたり、洗剤に漬けて洗ったりしているが、油や埃を含んだ汚れは落としづらく手間となっている。しかし、洗浄ケーシング１１に洗浄用水を貯めておくことにより，レンジフードフィルタ１を回転させ、洗浄用水に漬けて自動洗浄を行うことができる。ここで、洗浄用水は水道水としても良いが、６０℃〜８０℃のお湯や、洗剤、重曹などのアルカリ剤を入れたものを使用することで油の剥離、溶解性を高めることができ、洗浄効果を上げることができるため好ましい。
【００３３】
なお、レンジフードフィルタ１を構成するフィルタ板２や主板９は、油、埃が付着しても劣化が少なく、ある程度の強度を保つこと、水系洗浄が可能なことから金属、樹脂などを用いるのが一般的である。また、表面は平面に限らず、凹凸や波状のような加工が施されているものでも良く、フィルタ板２間を完全に塞がなければ、数ｍｍ〜数ｃｍ程度の突起や邪魔板が設けられていても良い。このような構成とすれば、空気がフィルタ板２間を通過する際に乱流を起こしたり、衝突したりすることで捕集率を向上させる効果も期待できる。また、突起や邪魔板を施したレンジフードフィルタ１を捕集の際に回転させれば、油が衝突し捕集される確率が高くなり、より捕集効率を上げることができる。
【００３４】
また、送風装置２０のファン２１には、図４に示すシロッコファン、ターボファン、プレートファンの他、エアホイルファン、ターボブロアのように、いくつかの種類があり、本発明はこのいずれにも適用可能であるが、本実施の形態ではシロッコファン（遠心ファン）を代表例として用いている。すなわち、送風装置２０は、ファン２１に加えて、このファン２１を回転させる電動機２２とファン２１を包囲するケーシング２３を備えたシロ
ッコファンである。
【００３５】
また、別の形態としては、図５に示すように送風装置２０として用いるシロッコファン２４の回転軸と、前記フィルタ板２の中心を同心にして、かつ、前記シロッコファン２４に備えられたブレード２５の内周側に前記フィルタ板２を配置した構成としても良い。これにより、前記レンジフードフィルタ１と前記シロッコファン２４で共有可能な電動機、ケーシングの部品点数削減及び設置スペース削減が可能となる。
【００３６】
なお、本実施の形態のレンジフードフィルタ１におけるフィルタ板２の開口３は円形としたが、多角形、好ましくは正多角形でもよい。この正多角形の開口３を有したフィルタ板２を積層してレンジフードフィルタ１を構成するとき、合同の正多角形、すなわち、同径の外接円となる開口３であってもよい。この場合には、隣接するフィルタ板２において、開口３を形成する辺のうち、最も近接する辺同士が平行にならないように配置すると良い。言い換えると、最も近接する辺同士がねじれの位置関係となるようにする。すなわち、フィルタ板２を上流側から正対してみたとき、前後で隣接する開口３が重ならないようにするとよい。このような構成であれば、開口３の縁は、空気の流れに対して凹凸ができることになり、油煙の捕集効率をあげることができるのである。
【産業上の利用可能性】
【００３７】
本発明にかかるレンジフードフィルタ及びそれを搭載したレンジフードは、洗浄頻度を従来と同等からそれ以下に抑えながらも、フィルタでの捕集効率を高めることができるものであり、同様の機能が付いた換気装置にも適用することができるものとして有用である。
【符号の説明】
【００３８】
１  レンジフードフィルタ
２  フィルタ板
３  開口
４  端部
５  平面部
６  端部間距離
７  フィルタ板設置間隔
８  回転軸
９  主板
１０  駆動手段
１１  洗浄ケーシング
１２  レンジフード
１３  本体
１４  壁面
１５  排出口
１６  ダクト
１７  フード部
１８  下面
１９  吸込口
２０  送風装置
２１  ファン
２２  電動機
２３  ケーシング
２４  シロッコファン
２５  ブレード
１０１  吸込口
１０２  フード
１０３  壁面
１０４  ダクト
１０５  排出口
１０６  回転軸
１０７  電動機
１０８  羽根車
１０９  洗浄ケーシング
１１０  通風路
１１１  整流板
１１２  洗浄液
１１３  貯水装置
１１４  給水ポンプ
１１５  散水ノズル
１１６  孔
１１７  開閉弁
１１８  排水トレイ
１１９  主板
１２０  ブレード
１２１  油捕集機構部
【図１】
2019027677.tif 000003
【図２】
2019027677.tif 000004
【図３】
2019027677.tif 000005
【図４】
2019027677.tif 000006
【図５】
2019027677.tif 000007
【図６】
2019027677.tif 000008
【図７】
2019027677.tif 000009
【図８】
2019027677.tif 000010